【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
導電性支持体上に電荷発生層、第一電荷輸送層及び第二電荷輸送層をこの順に形成してなる電子写真感光体において、
前記第二電荷輸送層が、下記一般式（１）で示されるベンジジン化合物と下記一般式（２）で示されるトリフェニルアミン化合物とを重合及び／又は架橋させることによって得られる硬化物を含有することを特徴とする電子写真感光体。
【化１】
2007178813.tif 000001
（一般式（１）中、Ａｒ１、Ａｒ２、Ａｒ５及びＡｒ６は、窒素を含まず、かつ、置換基を有しても良いアリール基を示し、それぞれ同一であっても異なっていても良い。また、Ａｒ３及びＡｒ４は、置換基を有しても良いアリーレン基を示し、それぞれ同一であっても異なっていても良い。なお、Ａｒ１、Ａｒ２、Ａｒ５及びＡｒ６のうち少なくとも１つは、連鎖重合性官能基を有し、それぞれ同一であっても異なっていても良い。）
【化２】
2007178813.tif 000002
（一般式（２）中、Ａｒ７、Ａｒ８及びＡｒ９は、窒素を含まず、かつ、置換基を有しても良いアリール基を示す。また、Ａｒ７、Ａｒ８及びＡｒ９のうち少なくとも１つは、連鎖重合性官能基を有し、それぞれ同一であっても異なっていても良い。）
【請求項２】
前記一般式（１）中のＡｒ３及びＡｒ４がフェニレン基であり、前記一般式（１）中のＡｒ１、Ａｒ２、Ａｒ５及びＡｒ６並びに前記一般式（２）中のＡｒ７、Ａｒ８及びＡｒ９が下記一般式（３）〜（５）のいずれかで示される基である請求項１に記載の電子写真感光体。
【化３】
2007178813.tif 000003
（一般式（３）〜（５）中、Ｒ１は、水素、フッ素、塩素、臭素、ヨウ素、炭素数１〜５のアルキル基又はアルコキシ基を示し、それぞれ同一であっても異なっていても良い。Ｒ２は、水素又はメチル基を示し、それぞれ同一であっても異なっていても良い。Ｘは、炭素数１〜６のアルキレン基又はフェニレン基を示し、それぞれ同一であっても異なっていても良い。また、ａ、ｂ及びｃは、０〜５の整数を示し、それぞれ同一であっても異なっていても良い。）
【請求項３】
前記硬化物を得るために用いられる前記一般式（１）で示される化合物の総質量が、前記一般式（１）で示される化合物及び前記一般式（２）で示される化合物の総質量に対して５〜２０質量％である請求項１又は２に記載の電子写真感光体。
【請求項４】
前記重合及び／又は架橋が、電子線による重合及び／又は架橋である請求項１〜３のいずれかに記載の電子写真感光体。
【請求項５】
請求項１〜４のいずれかに記載の電子写真感光体と、帯電手段、現像手段及びクリーニング手段からなる群より選ばれた少なくとも１つの手段とを一体に支持し、電子写真装置本体に着脱自在であることを特徴とするプロセスカートリッジ。
【請求項６】
請求項１〜４のいずれかに記載の電子写真感光体、帯電手段、露光手段、現像手段及び転写手段を有することを特徴とする電子写真装置。
【請求項７】
導電性支持体上に電荷発生層、第一電荷輸送層及び第二電荷輸送層をこの順に形成してなる電子写真感光体を製造する方法において、
有機溶剤と下記一般式（１）で示されるベンジジン化合物と下記一般式（２）で示されるトリフェニルアミン化合物とを含有する第二電荷輸送層用塗布液を該第一電荷輸送層上に塗布した後、重合及び／又は架橋させることによって該第二電荷輸送層を形成する工程を有することを特徴とする電子写真感光体の製造方法。
【化４】
2007178813.tif 000004
（一般式（１）中、Ａｒ１、Ａｒ２、Ａｒ５及びＡｒ６は、窒素を含まず、かつ、置換基を有しても良いアリール基を示し、それぞれ同一であっても異なっていても良い。また、Ａｒ３及びＡｒ４は、置換基を有しても良いアリーレン基を示し、それぞれ同一であっても異なっていても良い。なお、Ａｒ１、Ａｒ２、Ａｒ５及びＡｒ６のうち少なくとも１つは、連鎖重合性官能基を有し、それぞれ同一であっても異なっていても良い。）
【化５】
2007178813.tif 000005
（一般式（２）中、Ａｒ７、Ａｒ８及びＡｒ９は、窒素を含まず、かつ、置換基を有しても良いアリール基を示す。また、Ａｒ７、Ａｒ８及びＡｒ９のうち少なくとも１つは、連鎖重合性官能基を有し、それぞれ同一であっても異なっていても良い。）
【請求項８】
前記一般式（１）中のＡｒ３及びＡｒ４がフェニレン基であり、前記一般式（１）中のＡｒ１、Ａｒ２、Ａｒ５及びＡｒ６並びに前記一般式（２）中のＡｒ７、Ａｒ８及びＡｒ９が下記一般式（３）〜（５）のいずれかで示される基である請求項７に記載の電子写真感光体の製造方法。
【化６】
2007178813.tif 000006
（一般式（３）〜（５）中、Ｒ１は、水素、フッ素、塩素、臭素、ヨウ素、炭素数１〜５のアルキル基又はアルコキシ基を示し、それぞれ同一であっても異なっていても良い。Ｒ２は、水素又はメチル基を示し、それぞれ同一であっても異なっていても良い。Ｘは、炭素数１〜６のアルキレン基又はフェニレン基を示し、それぞれ同一であっても異なっていても良い。また、ａ、ｂ及びｃは、０〜５の整数を示し、それぞれ同一であっても異なっていても良い。）
【請求項９】
前記第二電荷輸送層用塗布液における前記一般式（１）で示される化合物の総質量が、前記一般式（１）で示される化合物及び前記一般式（２）で示される化合物の総質量に対して５〜２０質量％である請求項７又は８に記載の電子写真感光体の製造方法。
【請求項１０】
前記重合及び／又は架橋を電子線によって行う請求項７〜９のいずれかに記載の電子写真感光体の製造方法。
【手続補正２】
【補正対象書類名】明細書
【補正対象項目名】発明の名称
【補正方法】変更
【補正の内容】
【発明の名称】電子写真感光体及びその製造方法、並びに、プロセスカートリッジ及び電子写真装置
【手続補正３】
【補正対象書類名】明細書
【補正対象項目名】０００１
【補正方法】変更
【補正の内容】
【０００１】
本発明は、連鎖重合性官能基を有する電荷輸送性化合物を２種類以上含有する電子写真感光体及びその製造方法に関する。また、本発明は、上記電子写真感光体を有するプロセスカートリッジ及び電子写真装置に関する。
【手続補正４】
【補正対象書類名】明細書
【補正対象項目名】０００７
【補正方法】変更
【補正の内容】
【０００７】
本発明の目的は、機械的強度及び電気的特性に優れ、長期にわたり安定した画像を形成可能な電子写真感光体及びその製造方法を提供することにある。また、本発明の目的は、上記電子写真感光体を有するプロセスカートリッジ及び電子写真装置を提供することにある。
【手続補正５】
【補正対象書類名】明細書
【補正対象項目名】０００９
【補正方法】変更
【補正の内容】
【０００９】
すなわち、本発明は、導電性支持体上に電荷発生層、第一電荷輸送層及び第二電荷輸送層をこの順に形成してなる電子写真感光体において、
前記第二電荷輸送層が、下記一般式（１）で示されるベンジジン化合物と下記一般式（２）で示されるトリフェニルアミン化合物とを重合及び／又は架橋させることによって得られる硬化物を含有することを特徴とする電子写真感光体である。
【手続補正６】
【補正対象書類名】明細書
【補正対象項目名】００１０
【補正方法】変更
【補正の内容】
【００１０】
【化７】
2007178813.tif 000007
【手続補正７】
【補正対象書類名】明細書
【補正対象項目名】００１１
【補正方法】変更
【補正の内容】
【００１１】
一般式（１）中、Ａｒ１、Ａｒ２、Ａｒ５及びＡｒ６は、窒素を含まず、かつ、置換基を有しても良いアリール基を示し、それぞれ同一であっても異なっていても良い。また、Ａｒ３及びＡｒ４は、置換基を有しても良いアリーレン基を示し、それぞれ同一であっても異なっていても良い。なお、Ａｒ１、Ａｒ２、Ａｒ５及びＡｒ６のうち少なくとも１つは、連鎖重合性官能基を有し、それぞれ同一であっても異なっていても良い。
【手続補正８】
【補正対象書類名】明細書
【補正対象項目名】００１２
【補正方法】変更
【補正の内容】
【００１２】
【化８】
2007178813.tif 000008
【手続補正９】
【補正対象書類名】明細書
【補正対象項目名】００１３
【補正方法】変更
【補正の内容】
【００１３】
一般式（２）中、Ａｒ７、Ａｒ８及びＡｒ９は、窒素を含まず、かつ、置換基を有しても良いアリール基を示す。また、Ａｒ７、Ａｒ８及びＡｒ９のうち少なくとも１つは、連鎖重合性官能基を有し、それぞれ同一であっても異なっていても良い。
【手続補正１０】
【補正対象書類名】明細書
【補正対象項目名】００１４
【補正方法】変更
【補正の内容】
【００１４】
また、本発明は、上記電子写真感光体と、帯電手段、現像手段及びクリーニング手段からなる群より選ばれた少なくとも１つの手段とを一体に支持し、電子写真装置本体に着脱自在であることを特徴とするプロセスカートリッジである。
また、本発明は、上記電子写真感光体、帯電手段、露光手段、現像手段及び転写手段を有することを特徴とする電子写真装置である。
また、本発明は、導電性支持体上に電荷発生層、第一電荷輸送層及び第二電荷輸送層をこの順に形成してなる電子写真感光体を製造する方法において、
有機溶剤と上記一般式（１）で示されるベンジジン化合物と上記一般式（２）で示されるトリフェニルアミン化合物とを含有する第二電荷輸送層用塗布液を該第一電荷輸送層上に塗布した後、重合及び／又は架橋させることによって該第二電荷輸送層を形成する工程を有することを特徴とする電子写真感光体の製造方法である。
【手続補正１１】
【補正対象書類名】明細書
【補正対象項目名】００１８
【補正方法】変更
【補正の内容】
【００１８】
また、有機溶剤に対する溶解性の点から、上記一般式（１）中のＡｒ３及びＡｒ４はフェニレン基が好ましく、上記一般式（１）中のＡｒ１、Ａｒ２、Ａｒ５及びＡｒ６並びに上記一般式（２）中のＡｒ７、Ａｒ８及びＡｒ９は下記一般式（３）〜（５）のいずれかで示される基であることが好ましい。
【手続補正１２】
【補正対象書類名】明細書
【補正対象項目名】００１９
【補正方法】変更
【補正の内容】
【００１９】
【化９】
2007178813.tif 000009
【手続補正１３】
【補正対象書類名】明細書
【補正対象項目名】００２０
【補正方法】変更
【補正の内容】
【００２０】
一般式（３）〜（５）中、Ｒ１は、水素、フッ素、塩素、臭素、ヨウ素、炭素数１〜５のアルキル基又はアルコキシ基を示し、それぞれ同一であっても異なっていても良い。Ｒ２は、水素又はメチル基を示し、それぞれ同一であっても異なっていても良い。Ｘは、炭素数１〜６のアルキレン基又はフェニレン基を示し、それぞれ同一であっても異なっていても良い。また、ａ、ｂ及びｃは、０〜５の整数を示し、それぞれ同一であっても異なっていても良い。
【手続補正１４】
【補正対象書類名】明細書
【補正対象項目名】００３１
【補正方法】変更
【補正の内容】
【００３１】
電子写真感光体の支持体としては導電性を有するものであればよく、例えばアルミニウム、銅、クロム、ニッケル、亜鉛及びステンレスなどの金属や合金をドラムまたはシート状に成形したもの、アルミニウム及び銅などの金属箔をプラスチックフィルムにラミネートしたもの、アルミニウム、酸化インジウム及び酸化錫などをプラスチックフィルムに蒸着したもの、導電性物質を単独または結着樹脂とともに塗布して導電層を設けた金属、またプラスチックフィルム及び紙などが挙げられる。本発明においては導電性支持体上にはバリアー機能と接着機能をもつ下引き層を設けることができる。下引き層は感光層の接着性改良、塗工性改良、支持体の保護、支持体上の欠陥の被覆、支持体からの電荷注入性改良、また感光層の電気的破壊に対する保護などのために形成される。下引き層の材料としてはポリビニルアルコール、ポリ―Ｎ―ビニルイミダゾール、ポリエチレンオキシド、エチルセルロース、エチレン−アクリル酸共重合体、カゼイン、ポリアミド、Ｎ−メトキシメチル化６ナイロン、共重合ナイロン、ニカワ及びゼラチンなどが知られている。これらはそれぞれに適した溶剤に溶解されて支持体上に塗布される。その際の膜厚としては０．１〜２μｍが好ましい。電荷発生層に用いる電荷発生物質としては、セレン−テルル、ピリリウム、チアピリリウム系染料、また各種の中心金属及び結晶系、具体的にいえばα、β、γ、ε及びＸ型などの結晶型を有するフタロシアニン化合物、アントアントロン顔料、ジベンズピレンキノン顔料、ピラントロン顔料、トリスアゾ顔料、モノアゾ顔料、インジゴ顔料、キナクリドン顔料、非対称キノシアニン顔料、キノシアニン及び特開昭５４−１４３６４５号公報に記載のアモルファスシリコーンなどが挙げられる。電荷発生層は前記電荷発生物質を０．３〜４倍量の結着樹脂及び溶剤とともにホモジナイザー、超音波分散、ボールミル、振動ボールミル、サンドミル、アトライター及びロールミルなどの方法でよく分散し、分散液を塗布し、乾燥させて形成されるか、または前記電荷発生物質の蒸着膜など、単独組成の膜として形成される。その膜厚は５μｍ以下であることが好ましく、特に０．１〜２μｍであることが好ましい。結着樹脂を用いる場合の例は、スチレン、酢酸ビニル、塩化ビニル、アクリル酸エステル、メタクリル酸エステル、フッ化ビニリデン、トリフルオロエチレンなどのビニル化合物の重合体及び共重合体、ポリビニルアルコール、ポリビニルアセタール、ポリカーボネート、ポリエステル、ポリスルホン、ポリフェニレンオキサイド、ポリウレタン、セルロース樹脂、フェノール樹脂、メラミン樹脂、ケイ素樹脂、エポキシ樹脂などが挙げられる。
【手続補正１５】
【補正対象書類名】明細書
【補正対象項目名】００３３
【補正方法】変更
【補正の内容】
【００３３】
また、本発明における第二電荷輸送層の塗布液は熱・光及び放射線により重合させることが可能であり、特に放射線で重合させることが好ましい。放射線による重合の最大の利点は、重合開始剤を必要とせず、これによる電子写真特性への影響を排除することができる点である。また、短時間で効率的な重合反応であるがゆえに生産性も高く、さらには放射線の透過性の良さから、厚膜時や添加剤などの遮蔽物質が膜中に存在する際の硬化阻害の影響が非常に小さいことなどが挙げられる。ただし、電荷輸送性を有する中心骨格の種類によっては重合反応が進行しにくい場合があり、その際には影響のない範囲内での重合開始剤の添加は可能である。この際使用する放射線とは電子線及びγ線である。電子線を使用する場合、加速器としてはスキャニング型、エレクトロカーテン型、ブロードビーム型、パルス型及びラミナー型などいずれの形式も使用することができる。電子線を使用する場合に、本発明の感光体においては電気特性及び耐久性能を発現させる上で使用条件が非常に重要である。本発明において、加速電圧は２５０ｋＶ以下が好ましく、最適には１５０ｋＶ以下である。また電子線の線量は好ましくは２００ｋＧｙ以下の範囲、より好ましくは１００ｋＧｙ以下の範囲である。電子線の加速電圧が上記を越えると感光体特性のダメージが増加する傾向にある。また、電子線の線量が上記範囲よりも多い場合には感光体特性の劣化がおこりやすいので注意が必要である。
【手続補正１６】
【補正対象書類名】明細書
【補正対象項目名】００３７
【補正方法】変更
【補正の内容】
【００３７】
図１に本発明の電子写真感光体を有するプロセスカートリッジを有する電子写真装置の概略を示す。図において、１はドラム上の本発明の電子写真感光体であり、軸２を中心に矢印方向に所定の周速度で回転駆動される。感光体１は、回転過程において、一次帯電手段３によりその周面に負の所定電位に均一帯電を受け、次いでスリット露光やレーザービーム走査露光などの像露光手段（不図示）からの画像露光光４を受ける。こうして感光体１の周面に静電潜像が順次形成されていく。形成された静電潜像は、次いで現像手段５によりトナー現像され、現像されたトナー現像像は、不図示の給紙部から感光体１の回転と同期取り出されて給紙された転写材７に、転写手段６により順次転写されていく。像転写を受けた転写材７は、感光体面から分離されて像定着手段８へ導入されて像定着を受けることにより複写物（コピー）として装置外へプリントアウトされる。像転写後の感光体１の表面は、クリーニング手段９によって転写残りトナーの除去を受けて清浄面化され、さらに前露光手段（不図示）からの前露光光１０により除電処理された後、繰り返し画像形成に使用される。なお、一次帯電手段３が帯電ローラーなどを用いた接触帯電手段である場合は、前露光は必ずしも必要ではない。本発明においては、上述の電子写真感光体１、一次帯電手段３、現像手段５及びクリーニング手段９などの構成要素のうち、複数のものをプロセスカートリッジとして一体に結合して構成し、このプロセスカートリッジを複写機やレーザービームプリンターなどの電子写真装置本体に対して着脱自在に構成しても良い。例えば、一次帯電手段３、現像手段５及びクリーニング手段９の少なくとも１つを感光体１とともに一体に支持してカートリッジ化して、電子写真装置本体のレール１２などの案内手段を用いて電子写真装置本体に着脱自在なプロセスカートリッジ１１とすることができる。また、画像露光光４は、電子写真装置が複写機やプリンターである場合には、原稿からの反射光や透過光、あるいはセンサーで原稿を読み取り、信号化し、この信号に従って行われるレーザービームの走査、ＬＥＤアレイの駆動及び液晶シャッターアレイの駆動などにより照射される光である。
【手続補正１７】
【補正対象書類名】明細書
【補正対象項目名】００４２
【補正方法】変更
【補正の内容】
【００４２】
次に、ＣｕＫα特性Ｘ線回折におけるブラッグ角２θ±０．２度の９．０度、１４．２度、２３．９度及び２７．１度に強いピークを有するオキシチタニウムフタロシアニンを３部、ポリビニルブチラール（商品名エスレックＢＭ２、積水化学（株）製）３．５部及びシクロヘキサノン３５部をφ１ｍｍガラスビーズを用いたサンドミル装置で２時間分散して、その後に酢酸エチル６０部を加えて電荷発生層用塗料を調製した。この塗料を前記中間層上に浸漬コーティング法で塗布して９０℃で１０分間乾燥し、膜厚０．２μｍの電荷発生層を形成した。
【手続補正１８】
【補正対象書類名】明細書
【補正対象項目名】００４４
【補正方法】変更
【補正の内容】
【００４４】
【化１０】
2007178813.tif 000010
【手続補正１９】
【補正対象書類名】明細書
【補正対象項目名】００４６
【補正方法】変更
【補正の内容】
【００４６】
【化１１】
2007178813.tif 000011
【手続補正２０】
【補正対象書類名】明細書
【補正対象項目名】００５９
【補正方法】変更
【補正の内容】
【００５９】
【化１２】
2007178813.tif 000012
【手続補正２１】
【補正対象書類名】明細書
【補正対象項目名】００６４
【補正方法】変更
【補正の内容】
【００６４】
【化１３】
2007178813.tif 000013